(57)【要約】【課題】切換先の対物レンズの種類に応じて最適な切換動作が可能な対物レンズ切換装置を提供する。【解決手段】制御手段は、入力手段による設定及び操作手段からの切換指令によって切換先の対物レンズの種別を判断すると共に、判別された対物レンズの種類に応じて駆動手段の制動条件を変更する。【選択図】  図１３
2010266903.tif 000002
【特許請求の範囲】
【請求項１】
複数の対物レンズが装着可能なターレットと、このターレットを電気的に回動させるための駆動手段と、この駆動手段による回動力をターレットに伝達するための伝達手段と、上記複数の対物レンズのうち何れか１つの対物レンズを光学装置の光軸に正確に位置決めするための機械的な係合手段と、上記対物レンズの切換指令を入力するための操作手段と、この操作手段からの切換指令に応じて上記駆動手段の回動を制御する制御手段とを備え、上記対物レンズのそれぞれが択一的に光学装置の光軸に位置決めされる対物レンズ切換装置に於いて、
上記ターレットに装着される対物レンズの種類を設定する入力手段と、
上記入力手段で設定された上記複数の対物レンズの種別を識別する種別検出手段と、を具備し、
上記制御手段は、上記入力手段による設定及び上記操作手段からの切換指令によって切換先の対物レンズの種別を判断すると共に、判別された対物レンズの種類に応じて上記駆動手段の制動条件を変更することを特徴とする対物レンズ切換装置。
【請求項２】
上記複数の対物レンズは、乾燥系の対物レンズと液浸系の対物レンズとを含み、
上記駆動手段の制動条件は、上記乾燥系の対物レンズの場合と上記液浸系の対物レンズの場合とで異なることを特徴とする請求項１記載の対物レンズ切換装置。
【請求項３】
上記制御手段は、切換先の対物レンズの種別が、上記液浸系の対物レンズであると判断した場合、上記制動条件における制動時の動作速度を上記乾燥系の対物レンズの場合よりも遅くすることを特徴とする請求項２記載の対物レンズ切換装置。
【請求項４】
上記液浸系の対物レンズの上記駆動手段の制動開始位置を記憶するメモリを更に具備し、
上記制御手段は、切換先の対物レンズの種別が、上記液浸系の対物レンズであると判断した場合、上記メモリに記憶されている上記駆動手段の制動開始位置に基づいて上記駆動手段の制動を開始することを特徴とする請求項２記載の対物レンズ切換装置。
【請求項５】
上記複数の対物レンズの切換動作中の部分的な動作速度を算出する動作速度算出手段と、  上記動作速度と上記駆動手段の制動開始位置との関係を示す参照テーブルが記憶されているメモリとを更に具備し、
上記制御手段は、切換先の対物レンズの種別が上記乾燥系の対物レンズであると判断した場合、上記動作速度算出手段により算出された上記動作速度と、上記メモリに記憶されている参照テーブルとに基づいて上記駆動手段の制動開始位置を決定することを特徴とする請求項２記載の対物レンズ切換装置。
【請求項６】
上記制御手段は、予め設定された基準時間の間に上記角度検出手段により検出された角度変位の値と、上記基準時間とに基づいて上記動作速度を算出し、算出された上記動作速度と上記参照テーブルとを比較して上記駆動手段の制動開始位置を決定することを特徴とする請求項４記載の対物レンズ切換装置。
【発明の詳細な説明】
【技術分野】
【０００１】
この発明は、顕微鏡等の光学装置に於いて、複数の対物レンズの中から観察対象に応じて所望の倍率の対物レンズを選択して観察光路上に位置させる対物レンズ切換装置に関するものである。
【背景技術】
【０００２】
従来の顕微鏡等の光学装置に於いて、観察対象に応じて所望の倍率の対物レンズを選択して観察光路上に位置させる、一般的にレボルバと称される対物レンズ切換装置では、モータを所定の電圧で駆動することによりレボルバ可動部を回転させ、レボルバ可動部と固定部との間に機械的な係合機構を設けてレボルバの回転を停止させている。上記係合機構は、レボルバに取付けられた各対物レンズの光軸が、顕微鏡等の光学装置の観察光軸と一致する位置に来る度にレボルバ可動部と固定部とが機械的に係合され、位置決め保持されるようになっている。
【０００３】
こうした構成は、例えば特開平５−２８１４５７号公報、特開平７−３１１３４３号公報及び特許公報第２５３９９０３号に開示されている。
【０００４】
図１４は、上記特開平５−２８１４５７号公報に開示されている従来例のレボルバの切り換え装置（以下、第１の従来例と記す）の構成を示した断面図である。
【０００５】
図１４に示されるように、この切り換え装置は、複数の対物レンズ１が取り付けられたレボルバ２と、該レボルバ２の回転及び制動を行うモータ３と、このモータ３の回転をレボルバ２に伝達する伝達機構４とを有している。また、この切り換え装置は、上記モータ３或いは伝達機構４の回転軸にモータ３の減速タイミングと停止タイミングを与える、２つの指標部を有するマーク板５を備えている。
【０００６】
一方、切り換え装置の固定部には、２つの指標に対応する第１及び第２のセンサ６及び７がそれぞれ設けられている。そのため、所望の対物レンズ１が光軸位置の手前に達した時にモータ３の減速を開始し、十分減速した後光軸位置付近に達した時にモータ３が停止されることにより、所望の対物レンズ１が正確且つ迅速に、光学装置の光軸に位置決めすることが可能となっている。
【０００７】
また、レボルバ２には回転部に固定されたクリックボール８と、固定部に固定された板ばね９から成る係合機構が設けられている。
【０００８】
図１５及び図１６は、上記特開平７−３１１３４３号公報に記載されたレボルバ装置（以下、第２の従来例と記す）の構成を示した図である。
【０００９】
図１５及び図１６に於いて、このレボルバ装置は顕微鏡本体１１と、電動レボルバ本体１２とを有した構成となっている。そして、この装置は、図示されない複数の対物レンズを保持するレボルバ１３と、このレボルバ１３の回転及び制動を行うモータ１４と、該モータ１４の制動によって減速されたレボルバ１３を予め定められた位置に機械的に停止させる位置決め部１５と、モータ１４を制御する制御部２１内のレボルバ制御回路２３と、レボルバ１３が所定量回転したことを検出する定量回転検出部１６とを有している。
【００１０】
この定量回転検出部１６はフォトインタラプタ１７及び切欠部１８ａを有する遮光板１８を備えている。また、レボルバ１３には、球形部材１９が摺接するレール２０が設けられている。
【００１１】
上記顕微鏡本体１１にはまた、レボルバ２０の回転指令を行う操作部２０と、制動指令回路２４、モータ出力回路２５を有したレボルバ制御回路２３が備えられている。
【００１２】
そして、上記制御回路２３が定量回転検出部１６から遅延回路２２を介して検出結果を受けて、予め設定された遅延時間の後にモータ１４の制動を開始するように構成している。
【００１３】
このような構成により、所望の対物レンズを正確に位置決めするための調整が、電気的に遅延時間の調整によって可能であるため、調整作業が省力化できる。
【００１４】
図１７は、上記特許公報第２５３９９０３号に開示されたレボルバ回転装置（以下、第３の従来例と記す）の構成を示した図である。
【００１５】
このレボルバ回転装置は、レボルバ３１を回転させるモータ駆動装置３２と、レボルバ３１の回転位置を検出するコード装置３３と、目標位置であるレボルバ孔を予め選択するための選択手段としてのキーボード３４及び遠隔制御接続端３５と、モータ駆動装置３２の回転数を制御する制御手段３６と、選択されたレボルバ孔を目標位置に固定するための係合手段（図示せず）とを有している。そして、コード装置３３のコードディスク３７上に、レボルバ３１の制動を開始するための対物レンズの数に対応した減速マーク３８を配置して、このマーク３８とセンサ３９の協業により、レボルバ３１が目標位置に達する前にモータ駆動装置３２の回転数を減少させるようにしたので、所望の対物レンズを正確で、且つ迅速に目標位置に位置決めすることが可能となっている。
【発明の開示】
【発明が解決しようとする課題】
【００１６】
上述した第１乃至第３の従来例に共通の課題として、切換先の対物レンズの種類に応じてモータの制動条件を変えることができないという点が挙げられる。
【００１７】
特に、油侵対物レンズや水侵対物レンズ等の液侵対物レンズを顕微鏡等の光学装置の観察光軸に位置決めする場合、気泡の発生が課題となる。手動操作により対物レンズの切換えを行う時は、気泡ができる限り発生しないようにゆっくりと慎重に切換操作を行えば良い。しかしながら、従来の電動化された対物レンズの切換装置では、切換先の対物レンズの種類によらず常に同じ制動動作であったため、水や油の付着した試料面に対物レンズの先端が勢いよく接触してしまい、気泡の発生が避けられないという不具合があった。
【００１８】
この発明は上記実状に鑑みてなされたものであって、切換先の対物レンズの種類に応じて最適な切換動作が可能な対物レンズ切換装置を提供することにある。
【課題を解決するための手段】
【００１９】
すなわち、請求項１に係る対物レンズ切換装置では、複数の対物レンズが装着可能なターレットと、このターレットを電気的に回動させるための駆動手段と、この駆動手段による回動力をターレットに伝達するための伝達手段と、上記複数の対物レンズのうち何れか１つの対物レンズを光学装置の光軸に正確に位置決めするための機械的な係合手段と、上記対物レンズの切換指令を入力するための操作手段と、この操作手段からの切換指令に応じて上記駆動手段の回動を制御する制御手段とを備え、上記対物レンズのそれぞれが択一的に光学装置の光軸に位置決めされる対物レンズ切換装置に於いて、上記ターレットに装着される対物レンズの種類を設定する入力手段と、上記入力手段で設定された上記複数の対物レンズの種別を識別する種別検出手段と、を具備し、上記制御手段は、上記入力手段による設定及び上記操作手段からの切換指令によって切換先の対物レンズの種別を判断すると共に、判別された対物レンズの種類に応じて上記駆動手段の制動条件を変更することを特徴とする。
【００２０】
また、請求項２に係る対物レンズ切換装置では、上記複数の対物レンズは、乾燥系の対物レンズと液浸系の対物レンズとを含み、上記駆動手段の制動条件は、上記乾燥系の対物レンズの場合と上記液浸系の対物レンズの場合とで異なることを特徴とする。
【００２１】
また、請求項３に係る対物レンズ切換装置では、上記制御手段は、切換先の対物レンズの種別が、上記液浸系の対物レンズであると判断した場合、上記制動条件における制動時の動作速度を上記乾燥系の対物レンズの場合よりも遅くすることを特徴とする。
【００２２】
また、請求項４に係る対物レンズ切換装置では、上記液浸系の対物レンズの上記駆動手段の制動開始位置を記憶するメモリを更に具備し、上記制御手段は、切換先の対物レンズの種別が、上記液浸系の対物レンズであると判断した場合、上記メモリに記憶されている上記駆動手段の制動開始位置に基づいて上記駆動手段の制動を開始することを特徴とする。
【００２３】
また、請求項５に係る対物レンズ切換装置では、上記複数の対物レンズの切換動作中の部分的な動作速度を算出する動作速度算出手段と、上記動作速度と上記駆動手段の制動開始位置との関係を示す参照テーブルが記憶されているメモリとを更に具備し、上記制御手段は、切換先の対物レンズの種別が上記乾燥系の対物レンズであると判断した場合、上記動作速度算出手段により算出された上記動作速度と、上記メモリに記憶されている参照テーブルとに基づいて上記駆動手段の制動開始位置を決定する。
【００２４】
更に、請求項６に係る対物レンズ切換装置では、上記制御手段は、予め設定された基準時間の間に上記角度検出手段により検出された角度変位の値と、上記基準時間とに基づいて上記動作速度を算出し、算出された上記動作速度と上記参照テーブルとを比較して上記駆動手段の制動開始位置を決定する。
【００２５】
本発明によれば、切換先の対物レンズの種類に応じて最適な切換動作が可能な対物レンズ切換装置を提供することができる。
【発明を実施するための最良の形態】
【００２６】
以下、図面を参照してこの発明の実施の形態について説明する。図１はこの発明の第１の実施の形態となる対物レンズ切換装置の構成を示す断面図、図２は図１のターレットの概略構成を示す平面図である。
【００２７】
図示されない顕微鏡等の光学装置の本体に取付けられる取付部材５１には、支持部材５２が固定され、この支持部材５２に回転部材としてのターレット５３が、ガイドとなる多数のボール５４を介して回動可能に支持されている。ターレット５３は、異なる倍率を有する複数（この例では５個）の対物レンズ５５ａ〜５５ｅが装着可能な対物レンズ取付部５３ａ〜５３ｅを有している。また、観察に供する対物レンズ以外の対物レンズを観察試料から遠避けるため、その回転軸５３ｒが観察光軸に対して１５度の傾きを有している。
【００２８】
ターレット５３の外周部分には、５個の対物レンズ取付部５３ａ〜５３ｅに対応した係合溝Ｖａ〜Ｖｅが、円周上の５ヶ所に形成されている。一方、支持部材５２の上面には、先端にクリックボール５６が固着された板ばね５７が固定されている。この板ばね５７は、クリックボール５６をターレット５３の外周の係合溝Ｖａ〜Ｖｅに押付けるように作用するもので、クリックボール５６が係合溝Ｖａ〜Ｖｅに係合された時、ターレット５３上に装着された各対物レンズ５５ａ〜５５ｅが光軸に正確に一致するようになっている。これらの板ばね５７及びクリックボール５６は、ターレット５３と支持部材５２との間で所定の係合力を有して接触する係合手段を構成している。
【００２９】
上記取付部材５１には固定板５８が延設されており、この固定板５８にはモータ固定部材５９を介してモータ６０が取付けられている。ターレット５３の外周には、モータ６０の回転を減速しながらターレット５３に回転を伝達するための歯車６１が設けられている。この歯車６１は、モータ６０の回転軸６０ｒに固定された歯車６２と噛合するように構成されている。
【００３０】
また、ターレット５３の外周部分には、対物レンズ取付部５３ａ〜５３ｅに対応した５個の切欠部６３ａ〜６３ｅを有する円盤状の検知板６３が固定されている。一方、取付部材５１には、この検知板６３に相対するようにフォトインタラプタ等のフォトセンサ６５が、取付板６４を介して固定されている。そして、これら検知板６３とフォトセンサ６５とが、係合センサ７４を構成している。
【００３１】
この係合センサ７４は、ターレット５３の係合溝Ｖａ〜Ｖｅとクリックボール５６とが係合している時に所定の検出出力を発生すると共に、ターレット５３の係合溝Ｖａ〜Ｖｅとクリックボール５６の係合によるターレット５３の各停止位置が、検知板６３の各切欠部６３ａ〜６３ｅによる係合センサ７４の検出幅の中心位置と正確に合致するように位置調整されている。
【００３２】
上記モータ６０の回転軸６０ｒに固定された歯車６２には、放射状に均等に多数のスリットが形成されたスリット板６６が取付けられており、このスリット板６６に相対するようにフォトインタラプタ等のフォトセンサ６７がモータ固定部材５９に取付けられている。つまり、このスリット板６６とフォトセンサ６７は、モータ６０の回転軸６０ｒの角度変位に応じてパルス信号を発生するようになっている。また、上記スリット板６６とフォトセンサ６７は、モータ６０の回転角度を検出する角度センサ７５を構成している。
【００３３】
更に、ターレット５３には３個の識別子、例えば指標用磁石６８が、そしてこれら指標用磁石６８と相対する支持部材５２の円周上には３個のセンサ、例えば磁気を検知するホール素子６９が、それぞれ取付けられている。これら指標用磁石６８とホール素子６９とにより、対物レンズ取付部５３ａ〜５３ｅを識別するための種別センサ７３が構成されている。
【００３４】
次に、この種別センサ７３による対物レンズ取付部５３ａ〜５３ｅの識別方法について説明する。
【００３５】
図２に示されるように、ターレット５３上の３個のホール素子６９ａ、６９ｂ、６９ｃは、５個の各対物レンズ５５ａ〜５５ｅが観察光軸上に位置する時に、３個の指標用磁石６８ａ〜６８ｃの何れかと相対し、且つ５個の対物レンズ取付部５３ａ〜５３ｅに設けられている孔に応じて、各々異なったデジタル符号を形成するように構成されている。
【００３６】
図３は、これら３個のホール素子６９ａ〜６９ｃによるデジタル符号の論理関係を表した図である。図２及び図３に於いて、黒丸印は磁石があることを表し、白丸印は磁石がないことを表している。
【００３７】
次に、本実施の形態の電気制御系の構成について説明する。
【００３８】
図４は、この対物レンズ切換装置の電気制御系の構成を示すブロック図である。
【００３９】
図４に於いて、対物レンズ切換装置を含む光学装置の各部を操作するための各種スイッチを備えたコントローラ７１には、このコントローラ７１からの入力信号を受けると共に、上述した種別センサ７３、係合センサ７４、角度センサ７５の信号により、モータ６０を回転、停止させるための信号を得るＣＰＵ７２が接続されている。このＣＰＵ７２は、上記した信号に基いて、ドライバ７６を介してモータ６０を駆動させる。ＣＰＵ７２は、更に図示されない光学装置の各部へ駆動信号を送るようになっている。
【００４０】
上記コントローラ７１のスイッチとして、例えば目的の対物レンズを光軸上に位置させるための５個の対物指定スイッチや、対物レンズの焦点を合わせるためのフォーカスつまみ、光源の明るさを調整する電圧ボリューム等が備えられている。また、コントローラ７１には、図示されないが、上記光学装置各部への操作指令を入力するスイッチが備えられると共に、対物レンズ切換装置を含む光学装置の各部の状態を表示する表示部が備えられている。
【００４１】
次に、このように構成された対物レンズ切換装置の第１の実施の形態の動作について、図５のフローチャートを参照して説明する。
【００４２】
先ず、対物レンズ切換装置を含む図示されない顕微鏡等の光学装置の電源が投入されると、種別センサ７３が対物レンズ取付部５３ａ〜５３ｅの何れが光学装置の観察光軸上に位置しているかが検出され、これによりコントローラ７１の表示部（図示せず）に対物レンズ取付部５３ａ〜５３ｅに対応した表示が行われる。
【００４３】
ステップＳ１にて、コントローラ７１のスイッチにより対物レンズ切換指令が入力されると、ステップＳ２にて、ＣＰＵ７２が種別センサ７３で検知されている現在の対物レンズ取付部５３の種別と、コントローラから入力された切換先の対物レンズ取付部５３ａ〜５３ｅの種別とが比較されて、ターレット５３の回転方向と切換段階数（１段階は隣接する対物レンズ取付部への切換え）とが判断される。これにより、ドライバ７６にモータ６０の回転が指示される。
【００４４】
このモータ６０が始動された後、ステップＳ３に於いて、係合センサ７４によりターレット５３の係合が外れたか否かが判断される。ここで、上記係合が外れたことが検出された時点で、ステップＳ４に進んで角度センサ７５は測定値が０にリセットされ、この位置からの角度変位の計測が開始される。
【００４５】
ＣＰＵ２１には、切換段階数に応じて、係合センサ７４による係合解除検出時から切換先の対物レンズ取付部５３ａ〜５３ｅの手前の制動開始時までのターレット５３の回転角θs と、クリックボール５６とターレット５３の係合溝Ｖａ〜Ｖｅが丁度係合する位置までのターレット５３の回転角θc が、それぞれ予め設定されている。
【００４６】
そして、ステップＳ５に於いて、角度センサ７５による計測値が予め設定されたターレット５３の回転角θs に相当するモータ軸６０ｒの回転角に達したことがＣＰＵ７２で判断される。ここで、制動開始位置θs であると判断された場合は、ステップＳ６に進んで、ＣＰＵ７２からドライバ７６に、モータ６０の制動指令が与えられる。
【００４７】
ターレット５３はモータ６０の制動に伴って減速されながら、その外周の係合溝Ｖａ〜Ｖｅの係合範囲にクリックボール５６が入ってくると、ステップＳ７にて、板ばね５７のたわみ力により、機械的な係合が確保されて完全に停止される。
【００４８】
次いで、ステップＳ８に於いて、モータ６０の停止と同時に、ＣＰＵ７２では係合センサ７４の出力が確認される。ここで、係合が確保されている場合には、ステップＳ１５に進む。一方、係合が確保されていない場合には、エラー処理としてステップＳ９に移行する。
【００４９】
すなわち、ステップＳ９にて、角度センサ７５の信号が確認される。そして、この確認された信号の計測値が予め設定されたターレット５３の回転角θcと比較して大きい場合には、ステップＳ１０に進んでモータ６０が回転可能な低速度で逆回転される。一方、回転角θc と比較して小さい場合には、ステップＳ１２に進んでモータ６０が同様に順回転される。
【００５０】
そして、それぞれステップＳ１１及びＳ１３にて、再び係合センサ７４の出力が確認されながら、係合範囲に入ったことが確認されたならば、ステップＳ１４に進んで、直ちにモータ６０が停止される。
【００５１】
次に、ステップＳ１５にて、ＣＰＵ７２により種別センサ７３の出力が確認される。これにより、コントローラ７１に入力された切換指令の対物レンズ取付部５３ａ〜５３ｅと一致していることが確認された上で、ステップＳ１６にて、コントローラ７１の表示部に対物レンズ取付部５３ａ〜５３ｅの種別が表示される。この後、ステップＳ１７で、次の切換指令がコントローラ７１より入力されるまで待機する。
【００５２】
ここで、上述した一連の動作について、図６のタイミングチャートを参照して、係合センサ７４及び角度センサ７５とターレット５３の係合溝Ｖａ、Ｖｂとの関係から、更に詳細に説明する。
【００５３】
クリック形状は、ターレット５３の外周部を直線上に伸ばし、そのうちの一部分を表している。Ｖ型形状をした係合溝Ｖａ、Ｖｂは、ターレット５３の対物レンズ取付部５３ａ、５３ｂに正確に対応している。
【００５４】
係合センサ７４による係合検出範囲Δφは、クリックボール５６が板ばね５７の押圧力によりＶ溝に引込まれる範囲（以下、単に係合範囲と記す）Δθよりも小さく設定されていて、係合検出範囲Δφの中心が丁度Ｖ溝の中心と一致するように調整されている。また、角度センサ７５は、ターレット５３の角度変位に応じて等間隔にパルス状の信号を出力し、２つのＶ溝間をターレット５３が回転する時の総パルス数Ｎは、設計的に、例えば数十パルスに設定されている。
【００５５】
コントローラ７２からの指令により、対物レンズ取付部５３ａから５３ｂに切換えられる場合、先ずモータ６０が始動されて、ターレット５３が係合溝Ｖａの中心からΔφ／２だけ回転すると、係合センサ７４の検出出力がハイ（Ｈ）レベルからロー（Ｌ）レベルに切換わる。ＣＰＵ７２では、この時点で角度センサ７５からの計測値がリセットされ、この位置からの角度変位が角度センサ７５から出力されるパルス数として計測される。
【００５６】
そして、角度センサ７５からのパルス数がＮs となった時点で、ＣＰＵ７２からはモータ６０の制動を指示する信号がドライバ７６に供給される。角度センサ７５のパルス数Ｎs は、この位置でモータ６０の制動が開始された場合にターレット５３の停止位置が必ず係合範囲Δθ内に入るように設定されている。したがって、このタイミングでモータ６０が制動されれば、ターレット５３の係合溝Ｖｂにクリックボールが引込まれ、対物レンズ取付部５３ｂが正確に光軸に一致する位置でターレット５３が停止する。
【００５７】
以上のように、第１の実施の形態では、係合手段による係合が外れた時点からのターレットの回転角を角度センサにより計測し、この計測値が予め設定された所定の角度になった時にモータの制動を開始するようにしたので、モータの回転をターレットに伝達するギヤのバックラッシュに全く影響を受けずにモータの制動位置を正確に設定することができる。また、ターレットを確実に係合させるための調整作業は、係合センサの検出範囲とＶ溝の係合範囲の調整のみで良いため、治具等により短時間で正確に調整できるという利点を有している。
【００５８】
したがって、この第１の実施の形態は、短時間の調整で信頼度の高い対物レンズ切換動作を実現することができるという請求項１の発明に係る効果が期待できるものである。
【００５９】
尚、この第１の実施の形態に於いて、ターレットを回転させるためのモータはターレットの外側に配置したが、これに限らずどのような配置であっても良い。例えば、ターレットの外周部分の係合部の内側にギヤを設け、このギヤと噛合するようにモータをターレットの内側に配置することも可能である。
【００６０】
また、モータ軸のギヤと、ターレットに取付けられたギヤとの間にアイドラギヤを設けても良い。
この場合には、モータ配置の自由度が増すことになる。
【００６１】
次に、この発明の第２の実施の形態について説明する。
【００６２】
この第２の実施の形態は、上述した第１の実施の形態と同一の構成であり、その制御方法のみが異なるものである。
【００６３】
図７は、この発明の第２の実施の形態の制御方法を示すタイミングチャートである。
【００６４】
第２の実施の形態は、ターレットの制動時、係合手段による係合範囲の手前でターレットを十分に減速して低速駆動し、その後ターレットが係合手段による係合範囲に入るとほぼ同時にモータを完全停止させる、という二段階のステップを踏むものである。
【００６５】
上述したように、図中、Ｖ型形状をなした係合溝Ｖａ、Ｖｂは、ターレット５３の対物レンズ取付部５３ａ、５３ｂに正確に対応している。係合センサ７４による係合検出範囲Δφは係合範囲Δθよりも小さく設定されていて、係合検出範囲Δφの中心が丁度Ｖ溝の中心と一致するように調整されている。
【００６６】
また、角度センサ７５からは、ターレット５３の角度変位に応じて等間隔にパルス状の信号が出力される。２つのＶ溝間をターレット５３が回転する時の総パルス数Ｎは、設計的には、例えば数十パルスに設定されている。
【００６７】
以上の位置関係は、上述した第１の実施の形態と全く同じである。
【００６８】
対物レンズ取付部５３ａから５３ｂに切換える場合、モータ６０が始動されてターレット５３が係合溝Ｖａの中心からΔφ／２だけ回転すると、係合センサ７４の検出出力がＨレベルからＬレベルに切換わる。ＣＰＵ７２は、この時点で角度センサ７５からの計測値をリセットし、この位置からの角度変位を角度センサ７５から出力されるパルス数として計測する。ここまでの動作も値第１の実施の形態と同じである。
【００６９】
次に、角度センサ７５からのパルス数がＮ1 となった時点で、ＣＰＵ７２からモータ６０の減速を指示する信号がドライバ７６に供給される。角度センサ７５のパルス数Ｎ1 は、この位置でモータ６０の減速を行った場合に、ターレット５３が係合範囲Δθ内に入る手前で所定の回転速度まで必ず減速することができるように予め設定されている。そして、モータ６０の減速によりターレット５３の回転が所定の低速度となった後、角度センサ７５のパルス数がＮ2 となった時に、ＣＰＵ７２からモータ６０を完全に停止させるための信号がドライバ７６に供給される。
【００７０】
角度センサ７５のパルス数Ｎ2 は、この値を計測した時に丁度クリックボール５６が係合溝Ｖｂの係合範囲Δθに入るように予め設定されている。モータ６０の減速及び完全停止のための方法としては、モータの端子間を短時間ショートさせる方法が一般的であり、ブレーキ力の点からも効果が大きい。
【００７１】
図８は、第２の実施の形態の動作に於けるモータ電流の変化を説明するタイミングチャートである。この図８は、角度センサ７５のパルス数がＮ1 となった時にモータ６０の端子間を微小時間ショートさせ（この時逆電流が流れる）て減速し、その後モータ６０に低電圧をかけることで該モータ６０を低速駆動した後、角度センサ７５のパルス数がＮ2 となった時に再びモータ６０の端子間を所定時間ショートさせてモータ６０の回転を停止させることを示している。
【００７２】
以上のような制御方法を採用することにより、ターレットが係合手段の係合範囲に入る時点ではターレットの回転が十分に減速されて一定の低速度で回転している。したがって、対物レンズの装着状態の相違による慣性負荷の影響を受けずに、迅速且つ確実にターレットの係合を確保できるという効果を有する。しかも第２の実施の形態では、減速のための特別なセンサを必要としないため、上述した第１の実施の形態と同様に構成が簡単であるという利点も有している。
【００７３】
次に、この発明の第３の実施の形態となる対物レンズ切換装置について説明する。
【００７４】
この第３の実施の形態は、上述した第１及び第２の実施の形態とは電気的な構成と、その制御方法が異なるもので、その他の機械的な構成や、係合センサ及び角度センサとクリック形状との位置関係等は第１及び第２の実施の形態と同様であるので説明を省略する。
【００７５】
図９は、この発明の第３の実施の形態の電気系の構成を示すブロック図である。
【００７６】
図９に於いて、対物レンズ切換装置を含む光学装置の各部を操作するための各種スイッチを備えたコントローラ８１には、このコントローラ８１からの入力信号を受けると共に、種別センサ７３、係合センサ７４、角度センサ７５の信号により、モータ６０を回転、停止させるための信号を得るＣＰＵ８２が接続されている。このＣＰＵ８２は、上記した信号に基いて、ドライバ８３を介してモータ６０を駆動させる。
【００７７】
また、ＣＰＵ８２には、毎回の切換動作中の部分的な動作速度を基に減速開始位置を決定するための参照テーブルを記憶しておくためのメモリ８４が接続されている。更に、ＣＰＵ８２は、更に図示されない光学装置の各部へ駆動信号を送るようになっている。
【００７８】
上記コントローラ８１は、上述した第１及び第２の実施の形態と同様に、目的の対物レンズを光軸上に位置させるための５個の対物指定スイッチや、対物レンズの焦点を合わせるフォーカスつまみ、光源の明るさを調整する電圧ボリューム等を備える。またコントローラ８１は、これら光学装置各部への操作指令を入力するスイッチを備えるとともに、対物レンズ切換装置を含む光学装置の各部の状態を表示する表示部を備えている。
【００７９】
次に、この第３の実施の形態の動作について、図１０のフローチャート及び図１１のタイミングチャートを参照して説明する。
【００８０】
ステップＳ２１にて、コントローラ８１のスイッチにより対物レンズ切換指令が入力されると、ステップＳ２２に進んでＣＰＵ８２によってターレット５３の回転方向と切換段階数（１段階は隣接する対物レンズ取付部への切換）とが判断されて、ドライバ８３にモータ６０の回転が指示される。
【００８１】
そして、ステップＳ２３にて、モータ６０の始動後、係合センサ７４によりターレット５３の係合が外れたことが検出された時点で、角度センサ７５は測定値が０にリセットされ、ステップＳ２４に進んでこの位置からの角度変位の計測が開始される。同時に、ＣＰＵ８２で、角度変位の計測開始時からの時間がモニタされながら、ステップＳ２５にて予め設定された基準時間ｔR に達した時に、角度センサ７５からの角度変位計測値（ＮｔR ）と基準時間ｔR の関係から動作速度が算出される。
【００８２】
更に、ステップＳ２６にて、ＣＰＵ８２によって、算出された動作速度がメモリ８４内の参照テーブルと比較されて、今回の切換動作に於ける減速位置Ｎ1 が決定される。参照テーブルは、予め一定の条件下で動作させた時の基準の動作速度と最適な減速開始位置とが実験的に定められ、基準の動作速度からの偏差と減速開始位置のオフセット量（ΔＮ1 ）との関係が、データとして記憶されるようにする。
【００８３】
その後、ステップＳ２７にて、角度センサ７５の計測値が今回決定された減速開始位置（Ｎ1 ）となった時点で、ＣＰＵ８２からモータ６０の減速指令がドライバ８３に供給される。そして、ステップＳ２８にてモータ６０の減速によりターレット５３の回転が所定の低速度となった後、ステップＳ２９で角度センサ７５のパルス数がＮ2 になると、ステップＳ３０で、ＣＰＵ８２からモータ６０を完全に停止させるための信号がドライバ８３に供給される。角度センサ７５のパルス数Ｎ2 は、この値を計測した時に丁度クリックボール５６が係合溝Ｖｂの係合範囲に入るように予め設定されている。
【００８４】
モータ６０の停止後、ステップＳ３１にてＣＰＵ８２により係合センサ７４の出力が確認される。ここで、係合範囲Δθに入っていることが確認されたら、ステップＳ３３に進む。一方、係合範囲Δθに入っていない場合には、上述した第１及び第２の実施の形態と同様に、ステップＳ３２に移行して係合を確保するためのエラー処理が行われる。
【００８５】
ステップＳ３３では、ＣＰＵ８２により種別センサ７３の出力が確認される。ここで、コントローラ８１の入力された切換指令の対物レンズ取付部５３ｂと一致していることが確認された上で、ステップＳ３４に進んで、コントローラ８１の表示部に対物レンズ取付部の種別３ｂが表示される。次いで、ステップＳ３５にて、次の切換指令がコントローラ８１より入力されるまで待機する。
【００８６】
このように、第３の実施の形態では、毎回の切換動作の途中で予め設定された基準時間内の動作速度が算出され、この動作速度がメモリ内の参照テーブルと比較されてモータの減速開始位置が決定されるようにしたので、対物レンズの装着状態が途中で変わって駆動手段への慣性負荷が変化したり、ターレット回転部の機械的な抵抗が経年的に変化することにより駆動手段への負荷が変化しても、毎回の切換動作に合わせてモータの減速位置を最適に設定することが可能である。
【００８７】
この結果、ターレットの減速位置がクリック溝の手前過ぎたり、オーバーランしてクリック溝に係合されなかったりすることなく、常に安定した対物レンズ切換動作を実現することができる。
【００８８】
尚、上述した第３の実施の形態では、ターレットの動作速度を計測するのに、基準時間ｔR に於ける角度センサのパルス数ＮｔR で計測したが、予め設定したパルス数ＮR の回転に要する時間ｔNRを計測するようにしても良い。
【００８９】
次に、この発明の第４の実施の形態について説明する。
【００９０】
この第４の実施の形態は、上述した第３の実施の形態が毎回の切換動作時に動作速度を計測して減速位置を決定したのに対し、前回の同じ切換動作パターンの動作速度を用いて、今回の切換動作パターンの減速位置を決定するというものである。
【００９１】
尚、第４の実施の形態の構成は、上述した第３の実施の形態と同一であるため説明を省略する。
【００９２】
以下、第４の実施の形態の動作について、図１２のフローチャートを参照して説明する。
【００９３】
先ず、ステップＳ５１にて、コントローラ８１のスイッチにより、対物レンズ切換指令が入力されると、この切換動作パターンが電源投入後最初の動作であるか否かがステップＳ５２に於いて判断される。ここで、最初の動作の場合には、上述した第３の実施の形態と同様に動作が開始されて、その動作中の動作速度が計測されて減速位置が決定される。このステップＳ６８〜Ｓ８０の処理過程は、上述した第３の実施の形態に於ける図１０のフローチャートのステップＳ２２〜Ｓ３４の処理動作と同様であるので説明を省略する。
【００９４】
上記ステップＳ６８〜Ｓ８０の処理により減速位置が決まったならば、ＣＰＵ８２によりこのデータがこの切換動作パターンの初回の減速位置としてメモリ８４に書込まれる。決定された減速位置でのモータ６０の減速、停止位置でのモータ６０の停止、係合確認、エラー処理、種別検知と表示というその後の一連の動作についても、第３の実施の形態と同様である。
【００９５】
一方、上記ステップＳ５１でコントローラ８１からの対物レンズ切換指令が入力され、ステップＳ５２にて、この切換動作パターンが電源投入後現在までに既に経験したパターンであることが判断された場合は、ステップＳ５３に進む。
【００９６】
そして、先ず、このステップＳ５３にて、ＣＰＵ８２によってメモリ８４内に蓄積されている参照データ、すなわち前回の同じ動作パターンに於ける減速位置データが読出されて、今回の動作に於ける減速開始位置に設定される。同時に、ＣＰＵ８２によりターレット５３の回転方向と切換段階数とが判断され、ステップＳ５４にてドライバ８３にモータ６０の回転が指示される。
【００９７】
モータ６０の始動後、ステップＳ５５に於いて係合センサ７４によりターレット５３の係合が外れたことが検出された時点で、角度センサ７５は測定値が０にリセットされる。そして、ステップＳ５６にて、この位置からの角度変位の計測が開始される。
【００９８】
次いで、ステップＳ５７に於いて、この計測値が先に設定された今回の減速位置に達すると、ＣＰＵ８２からモータ６０の減速指令がドライバ８３に供給される。この時、ステップＳ５８にて、ＣＰＵ８２で係合が外れたことが検出されてから今回の減速位置に達するまでの時間が計測される。そして、この計測された時間と予め定められた減速位置に対応した基準時間とが比較されることにより、ステップＳ５９で、今回の減速位置が適切であったかどうかが判断されたうえで、次回の減速位置が決定される。それと共に、このデータがメモリ８４内のデータテーブルに書込まれる。
【００９９】
そして、ステップＳ６０にて、モータ６０が減速されることによりターレット５３の回転が所定の低速度となった後、ステップＳ６１に於いて、角度センサ７５のパルス数がＮ2 となった時に、ＣＰＵ８２からモータ６０を完全に停止させるための信号がドライバ８３に供給される。パルス数Ｎ2 の設定に関しては、上述した第３の実施の形態と同様である。
【０１００】
以降、ステップＳ６２〜Ｓ６６に於けるモータ停止後の係合確認、エラー処理、種別検知及び表示という一連の動作についても、上述した第３の実施の形態に於ける図１０のフローチャートのステップＳ３０〜Ｓ３４と同様であるので説明を省略する。そして、ステップＳ６７に進んで、次の切換指令がコントローラ８１より入力されるまでの待機状態となり、動作が完了する。
【０１０１】
以上のように、第４の実施の形態に於いては、前回の同じ対物レンズ切換パターンの時に決定された減速位置を今回の減速位置としてメモリから読出し、この減速位置までに要した時間から次の同じ切換パターンに於ける減速位置をその都度メモリに書込み更新するようにしたので、対物レンズ切換パターン毎に最適なモータの減速位置を得ることができる。
【０１０２】
また、上述した第３の実施の形態に比べて広い範囲でターレットの動作状態を検出してから次の動作に於ける減速位置を決定するようにしたので、より正確に減速位置を設定することができる。
【０１０３】
尚、この第４の実施の形態に於いては、同じ切換動作パターンに対して１回毎に減速位置のデータを更新するようにしたが、途中で対物レンズの取付状態やターレットの機械的な負荷特性がさほど変化しない場合には、減速位置データの更新を間引いても良い。
【０１０４】
また、第３及び第４の実施の形態に於いて、ターレットの実際の駆動速度に応じてモータの減速位置を変更するようにしたが、減速位置は固定したまま減速のためのモータ端子のショート時間や停止タイミングまでの低速駆動時の駆動速度を変更するようにしても良い。
【０１０５】
次に、この発明の第５の実施の形態について説明する。
【０１０６】
この第５の実施の形態は、切換先の対物レンズが油侵対物レンズや水侵対物レンズ等の液浸対物レンズであった場合のみ、通常の乾燥系（ドライ）対物とは異なる制動を行うことにより、光軸に位置決めされた時の気泡の発生を抑制しようとするものである。
【０１０７】
第５の実施の形態の構成は、上述した第３及び第４の実施の形態と同じであるため説明を省略する。
【０１０８】
ここで、第５の実施の形態の動作について、図１３のフローチャートを参照して説明する。
【０１０９】
この第５の実施の形態の場合、先ず最初にターレット５３の各対物レンズ取付部５３ａ〜５３ｅに装着された対物レンズの種類は、コントローラ８１から入力されて初期設定されている。
【０１１０】
ステップＳ８１にて、コントローラ８１のスイッチにより対物レンズ切換指令が入力されると、ステップＳ８２に於いて入力された切換先の対物レンズの種類が判断される。ここで、ドライ対物レンズである場合にはステップＳ８３〜Ｓ８９の処理が実行されるが、上述した第３の実施の形態に於ける図１０のステップＳ２２〜Ｓ２８と全く同様に動作するので、ここでは説明を省略する。
【０１１１】
上記ステップＳ８２に於いて、切換先の対物レンズが液浸対物レンズであると判断された場合には、ステップＳ９０に進んで、ＣＰＵ８２によりメモリ８４内の参照テーブルから液浸対物レンズ用の減速位置が読出されて、今回の切換動作に於ける減速位置に設定される。次いで、ステップＳ９１にてターレット５３の回転が始動された後、ステップＳ９２にて係合範囲から脱出されると、ステップＳ９３で角度変位の計測が開始される。
【０１１２】
そして、ステップＳ９４にて、角度変位が先に設定された液浸対物用の減速位置に達したならば、ステップＳ９５に進み、ＣＰＵ８２からドライバ８３に減速のための信号が送られてモータ６０が減速される。この場合、減速された後の駆動速度は、通常のドライ対物レンズの場合よりも可能な限り遅くする。そして、ドライ対物レンズの場合と同様に係合範囲に達したならば、モータ６０が停止される。
【０１１３】
以後のステップＳ９６〜Ｓ１０２の処理動作は、上述した第３の実施の形態のドライ対物レンズの場合と同様であり、図１０のステップＳ２９〜Ｓ３５と全く同様に動作するので、ここでは説明を省略する。
【０１１４】
このように、第５の実施の形態によれば、切換先の対物レンズが液浸対物レンズであった場合に、ドライ対物の場合とは異なる減速位置（係合位置より手前側）でモータを減速させ、しかも極低速度で係合位置まで駆動した後にモータを停止させるので、液浸対物レンズの先端が観察試料上面の油や水等に接触するときの衝撃を緩和させる結果、液浸対物レンズが光軸に位置決めされた時の気泡の発生を大幅に抑制することができる。
【０１１５】
尚、この発明の上記実施態様によれば、以下の如き構成を得ることができる。
【０１１６】
すなわち、（１） 複数の対物レンズが装着可能なターレットと、このターレットを電気的に回動させるための駆動手段と、この駆動手段による回動力をターレットに伝達するための伝達手段と、上記複数の対物レンズのうち何れか１つの対物レンズを光学装置の光軸に正確に位置決めするための機械的な係合手段と、上記対物レンズの切換指令を入力するための操作手段と、この操作手段からの切換指令に応じて上記駆動手段の回動を制御する制御手段とを備え、上記対物レンズのそれぞれが択一的に光学装置の光軸に位置決めされる対物レンズ切換装置に於いて、上記ターレットの回動位置が上記係合手段の係合範囲内にあることを検出する係合検出手段と、上記ターレットの角度変位を検出する角度検出手段とを具備し、上記係合検出手段と角度検出手段の信号に基いて、上記制御手段が上記駆動手段の制動位置を決定することを特徴とする対物レンズ切換装置。
【０１１７】
（２） 上記制御手段は、上記角度検出手段が上記操作手段からの切換指令に応じて必要とされるターレットの回転角度よりも小さい第１の回転角度を検出した後に上記駆動手段の制動を行って低速駆動とし、次に上記角度検出手段が上記第１の回転角度より大きい第２の回転角度を検出した後に上記駆動手段を完全に停止させる制動を行うことを特徴とする上記（１）に記載の対物レンズ切換装置。
【０１１８】
（３） 上記対物レンズ切換装置は、更に上記複数の対物レンズの切換動作中の部分的な動作範囲に於ける動作速度を計測する計測手段を具備し、この計測手段で計測された時間を予め設定された所定の時間と比較することによって、上記駆動手段の制動条件を変更することを特徴とする上記（１）若しくは（２）に記載の対物レンズ切換装置。
【０１１９】
（４） 上記計測手段は上記ターレットの切換動作パターンに対応して時間計測を行い、上記制御手段は上記計測手段で計測された計測値をそれぞれ個別に記憶することにより上記対物レンズ切換動作パターン毎に上記駆動手段の制動条件を最適に設定することを特徴とする上記（３）に記載の対物レンズ切換装置。
【０１２０】
（５） 上記対物レンズ切換装置は、更に上記ターレットに取付けられる各対物レンズの種類を初期設定するための入力手段を具備し、上記制御手段は、この入力手段による設定及び上記操作手段からの切換指令によって切換先の対物レンズの種類を判別すると共に、判別された対物レンズの種類に応じて上記駆動手段の制動条件を変更することを特徴とする上記（１）乃至（３）の何れか１に記載の対物レンズ切換装置。
【０１２１】
上記（１）の構成によれば、制動を開始するターレットの回転位置を常に正確に定めることができる。つまり、ギヤ等の伝達手段によるバックラッシュの影響を受けることなく、ターレットを係合手段に確実に係合させることが可能であるため、短時間の調整で信頼度の高い対物レンズ切換動作が実現できるという効果を有する。
【０１２２】
また、上記（２）の構成によれば、対物レンズの重量による慣性の影響がより少なくなり、確実にターレットを係合手段に係合させることが可能であるという効果を有する。
【０１２３】
上記（３）の構成によれば、対物レンズの装着状態が途中で変わって駆動手段への慣性負荷が変化したり、ターレット回転部の機械的な抵抗が経年的に変化することにより駆動手段への負荷が変化しても、それぞれの状態に合わせて駆動手段への最適な制動が可能であるため、常に安定した対物レンズ切換動作が実現できるという効果を有する。
【０１２４】
上記（４）の構成によれば、対物レンズの装着状態に合わせて最適な対物レンズ切換動作を実現することができるという効果を有する。
【０１２５】
更に、上記（５）の構成によれば、油侵対物レンズや水侵対物レンズ等の特殊な対物レンズが装着されていても、駆動手段の制動条件を変更してターレットの位置決め動作を特化し、気泡の発生等の不具合を抑制することができる。
【図面の簡単な説明】
【０１２６】
【図１】この発明の第１の実施の形態となる対物レンズ切換装置の構成を示す断面図である。
【図２】図１のターレットの概略構成を示す平面図である。
【図３】図２の３個のホール素子６９ａ〜６９ｃによるデジタル符号の論理関係を表した図である。
【図４】対物レンズ切換装置の電気制御系の構成を示すブロック図である。
【図５】第１の実施の形態に於ける対物レンズ切換装置の動作について説明するフローチャートである。
【図６】係合センサ７４及び角度センサ７５とターレット５３の係合溝Ｖａ、Ｖｂとの関係を説明するタイミングチャートである。
【図７】この発明の第２の実施の形態の制御方法を示すタイミングチャートである。
【図８】第２の実施の形態の動作に於けるモータ電流の変化を説明するタイミングチャートである。
【図９】この発明の第３の実施の形態の電気系の構成を示すブロック図である。
【図１０】この発明の第３の実施の形態の動作について説明するフローチャートである。
【図１１】この発明の第３の実施の形態の動作について説明するタイミングチャートである。
【図１２】この発明の第４の実施の形態の動作について説明するフローチャートである。
【図１３】この発明の第５の実施の形態の動作について説明するフローチャートである。
【図１４】第１の従来例を示したもので、レボルバの切り換え装置の構成を示した断面図である。
【図１５】第２の従来例を示したもので、レボルバ装置の構成を示した図である。
【図１６】第２の従来例を示したもので、レボルバ装置の構成を示したブロック図である。
【図１７】第３の従来例を示したもので、レボルバ回転装置の構成を示した図である。
【符号の説明】
【０１２７】
５１ 取付部材
５２ 支持部材
５３ ターレット
５３ａ〜５３ｅ 対物レンズ取付部
５３ｒ、６０ｒ 回転軸
５４ ボール
５５ａ〜５５ｅ 対物レンズ
５６ クリックボール
５７ 板ばね
５８ 固定板
５９ モータ固定部材
６０ モータ
６１、６２ 歯車
６３ 検知板
６３ａ〜６３ｅ 切欠部
６４ 取付板
６５、６７ フォトセンサ
６６ スリット板
６８ 指標用磁石
６９、６９ａ〜６９ｅ ホール素子
７１、８１ コントローラ
７２、８２ ＣＰＵ
７３ 種別センサ
７４ 係合センサ
７５ 角度センサ
７６、８３ ドライバ
８４ メモリ
Ｖａ〜Ｖｅ 係合溝
【図１】
2010266903.tif 000003
【図２】
2010266903.tif 000004
【図３】
2010266903.tif 000005
【図４】
2010266903.tif 000006
【図５】
2010266903.tif 000007
【図６】
2010266903.tif 000008
【図７】
2010266903.tif 000009
【図８】
2010266903.tif 000010
【図９】
2010266903.tif 000011
【図１０】
2010266903.tif 000012
【図１１】
2010266903.tif 000013
【図１２】
2010266903.tif 000014
【図１３】
2010266903.tif 000015
【図１４】
2010266903.tif 000016
【図１５】
2010266903.tif 000017
【図１６】
2010266903.tif 000018
【図１７】
2010266903.tif 000019